(57)【要約】【課題】軸方向に延在する複数のルーメンを区画しつつ、穿刺抵抗を低減できる医療器具を提供する。【解決手段】医療器具は、径方向の内側に位置する内側ルーメン、及び、径方向の外側に位置する外側ルーメン、を内部に区画する筒部を備え、前記筒部の側面は、前記遠位端側に向かうにつれて径方向の内側に近づくように縮径するテーパ面を備え、前記内側ルーメンの第１先端開口は、前記筒部の先端面に形成されており、前記外側ルーメンの第２先端開口は、前記筒部の前記テーパ面に形成されている。【選択図】図４
2020049150.tif 000002
【特許請求の範囲】
【請求項１】
遠位端から生体組織に穿刺される長尺状の医療器具であって、
径方向の内側に位置する内側ルーメン、及び、径方向の外側に位置する外側ルーメン、を内部に区画する筒部を備え、
前記筒部の側面は、前記遠位端側に向かうにつれて径方向の内側に近づくように縮径するテーパ面を備え、
前記内側ルーメンの第１先端開口は、前記筒部の先端面に形成されており、
前記外側ルーメンの第２先端開口は、前記筒部の前記テーパ面に形成されている、医療器具。
医療器具。
【請求項２】
前記筒部の前記先端面は、軸方向に対して傾斜する刃面により構成されている、請求項１に記載の医療器具。
【請求項３】
前記テーパ面を第１テーパ面とした場合に、前記筒部の側面は、前記第１テーパ面よりも前記遠位端側に、前記遠位端側に向かうにつれて外径が漸減する第２テーパ面を備え、
前記第２テーパ面は、前記第１テーパ面よりも、軸方向に対する傾斜角度が小さい、請求項１又は２に記載の医療器具。
【請求項４】
前記筒部は、前記外側ルーメンを複数区画している、請求項１乃至３のいずれか１つに記載の医療器具。
【請求項５】
前記内側ルーメンの断面積は、前記外側ルーメンの断面積よりも大きい、請求項１乃至４のいずれか１つに記載の医療器具。
【発明の詳細な説明】
【技術分野】
【０００１】
本発明は、医療器具に関する。
【背景技術】
【０００２】
近年、心不全等の治療として、心臓の左心室の内壁等の生体組織の同一箇所に、細胞及び細胞外マトリックス等、複数種類の被投与物を投与することが検討されている。このような場合、軸方向に延在する中空部であるルーメンが区画され、先端で生体組織に穿刺可能な長尺状の医療器具を用いて、当該ルーメンを通じて被投与物を生体組織に投与することが考えられる。複数種類の被投与物を投与するためには、医療器具に、被投与物の種類数に応じた数のルーメンが区画されていることが好ましい。
【０００３】
例えば、特許文献１には、ルーメン４３０と、補助ルーメン４４０とを有する医療器具が開示されている。
【先行技術文献】
【特許文献】
【０００４】
【特許文献１】米国特許出願公開第２００８／０１２５７４５号明細書
【発明の概要】
【発明が解決しようとする課題】
【０００５】
しかしながら、特許文献１に開示されるように医療器具が２つのルーメンを有する場合、当該医療器具は、１本の針について、２つのルーメンを設けることが可能な外径を有する必要がある。そうすると、外径が大きくなりやすく、穿刺抵抗が大きくなりやすくなる。
【０００６】
本発明の目的は、上記問題に鑑み、軸方向に延在する複数のルーメンを区画しつつ、穿刺抵抗を低減できる医療器具を提供することである。
【課題を解決するための手段】
【０００７】
本発明の第１の態様としての医療器具は、遠位端から生体組織に穿刺される長尺状の医療器具であって、径方向の内側に位置する内側ルーメン、及び、径方向の外側に位置する外側ルーメン、を内部に区画する筒部を備え、前記筒部の側面は、前記遠位端側に向かうにつれて径方向の内側に近づくように縮径するテーパ面を備え、前記内側ルーメンの第１先端開口は、前記筒部の先端面に形成されており、前記外側ルーメンの第２先端開口は、前記筒部の前記テーパ面に形成されている。
【０００８】
本発明の一実施形態としての医療器具において、前記筒部の前記先端面は、軸方向に対して傾斜する刃面により構成されている。
【０００９】
本発明の一実施形態としての医療器具において、前記テーパ面を第１テーパ面とした場合に、前記筒部の側面は、前記第１テーパ面よりも前記遠位端側に、前記遠位端側に向かうにつれて外径が漸減する第２テーパ面を備え、前記第２テーパ面は、前記第１テーパ面よりも、軸方向に対する傾斜角度が小さい。
【００１０】
本発明の一実施形態としての医療器具において、前記筒部は、前記外側ルーメンを複数区画している。
【００１１】
本発明の一実施形態としての医療器具において、前記内側ルーメンの断面積は、前記外側ルーメンの断面積よりも大きい。
【発明の効果】
【００１２】
本発明によると、軸方向に延在する複数のルーメンを区画しつつ、穿刺抵抗を低減できる医療器具を提供することができる。
【図面の簡単な説明】
【００１３】
【図１】本発明の一実施形態としての医療器具を示す図である。
【図２】図１に示す医療器具の外観斜視図である。
【図３】図１に示す医療器具の正面図である。
【図４】図３のＡ−Ａ線に沿う断面図である。
【図５】図１の医療器具を用いて実行される投与方法の一例を示すフローチャートである。
【図６】図１の医療器具を用いて投与された細胞及び細胞外マトリックスの投与状態の一例を示す模式図である。
【図７】図１に示す医療器具の穿刺先端部の変形例を示す図である。
【発明を実施するための形態】
【００１４】
以下、本発明の一実施形態について、図面を参照して説明する。各図において共通の構成部には、同一の符号を付している。
【００１５】
図１は、本発明の一実施形態としての医療器具１を示す図である。図１に示すように、医療器具１は、長尺状である。図１では、医療器具１が、別の医療器具としての筒状のカテーテル１００を通じて、被検者の体外から心臓内腔の左心室ＬＶまで延在した状態を示している。具体的には、カテーテル１００が、大腿動脈ＦＡから被検者の体内に挿入され、大動脈ＡＯ及び大動脈弁ＡＶを通じて左心室ＬＶ内まで延在している。そして、医療器具１の近位端側の一部が、被検者の体外に位置した状態のまま、医療器具１の遠位端８が、カテーテル１００を通じて左心室ＬＶまでデリバリーされている。カテーテル１００は、大腿動脈ＦＡに代えて、例えば手首の橈骨動脈等から、被検者の体内に挿入されてもよい。以下、医療器具１の近位端を単に「基端」と記載し、近位端側を単に「基端側」と記載する場合がある。また、以下、医療器具１の遠位端８を単に「先端」と記載し、遠位端８側を単に「先端側」と記載する場合がある。
【００１６】
図２は、医療器具１の外観斜視図である。図３は、医療器具１の正面図である。図４は、図３のＡ−Ａ線に沿う断面図である。ここで、本明細書では、医療器具１の遠位端８側に向く面を正面とする。以下、医療器具１を遠位端８側から見た場合（図３参照）を単に「正面視」と記載する場合がある。医療器具１は、遠位端８側が針状に構成されている。
【００１７】
図２乃至図４に示されるように、医療器具１は、筒部３０を備える。筒部３０は、本体部１０と、穿刺先端部２０とを含んで構成される。穿刺先端部２０は、遠位端８を含み、遠位端８から左心室ＬＶ（図１参照）の内壁等の生体組織に穿刺可能である。筒部３０は、中心軸Ｏに沿う方向（以下、「軸方向」とも称する）に沿って延在している。本体部１０は、穿刺先端部２０と連続し、穿刺先端部２０よりも基端側に位置する。図４では、本体部１０は破線Ｌよりも右側の部分であり、穿刺先端部２０は破線Ｌよりも左側の部分である。つまり、図４において、破線Ｌよりも基端側が本体部１０に該当し、破線Ｌよりも遠位端８側が穿刺先端部２０に該当する。
【００１８】
穿刺先端部２０は、正面視において、中心軸Ｏを中心として、半径Ｒ１の側面（外周面）を有する。本体部１０は、正面視において、中心軸Ｏを中心として、最大半径Ｒ２の側面（外周面）を有する。図３及び図４に示すように、穿刺先端部２０は、医療器具１の軸方向において、遠位端８側の、側面の半径がＲ１以下である部分を指す。医療器具１の軸方向において、側面の半径がＲ１より大きい部分は、本体部１０に属する。このように構成することにより、医療器具１の遠位端８近傍の外径を小さくできるため、医療器具１が生体組織に穿刺される際の医療器具１と生体組織との穿刺抵抗を低減することができる。
【００１９】
図４に示すように、本実施形態では、穿刺先端部２０の側面２１は、近位端側から遠位端８側にかけて、中心軸Ｏを中心とした同一の半径Ｒ１の筒状に構成されている。
【００２０】
本体部１０は、側面１１において、基端側から遠位端８側に向かうにつれて径方向の内側に近づくように縮径するテーパ面（第１テーパ面）１２を備える。すなわち、テーパ面１２により、近位端側から遠位端８側に向かうにつれて、本体部１０の半径が、最大半径のＲ２からＲ１まで減少され、穿刺先端部２０に連続するように構成されている。
【００２１】
テーパ面１２は、中心軸Ｏに対して、テーパ基端位置１３と結合位置１４との中間位置１５において、最も傾斜している。テーパ基端位置１３は、テーパ面１２の最も基端側（近位端側）の位置である。すなわち、テーパ基端位置１３は、本体部１０において、半径がＲ２よりも小さくなりはじめる位置である。本体部１０のテーパ基端位置１３よりも基端側は、半径がＲ２の円筒状に構成されている。結合位置１４は、本体部１０における、穿刺先端部２０との結合位置であり、テーパ面１２の最も先端側（遠位端８側）の位置である。例えば、テーパ面１２の中心軸Ｏに対する傾斜角は、テーパ基端位置１３から中間位置１５にかけて徐々に上昇し、中間位置１５で最大となった後、結合位置１４にかけて徐々に減少する。具体的には、テーパ面１２は、中心軸Ｏに沿って、中間位置１５よりも、テーパ基端位置１３側では凸状となる曲率を有し、結合位置１４側では凹状となる曲率を有する。
【００２２】
医療器具１の本体部１０は、軸方向に延在する複数のルーメンを区画する。本実施形態では、図３及び図４に示すように、複数のルーメンとして、１つの内側ルーメン３１と、４つの外側ルーメン３２ａ、３２ｂ、３２ｃ及び３２ｄとが区画される。本明細書において、４つの外側ルーメン３２ａ、３２ｂ、３２ｃ及び３２ｄをそれぞれ区別しない場合には、これらをまとめて「外側ルーメン３２」と記載する。
【００２３】
内側ルーメン３１は、本体部１０において、径方向の内側に位置する。具体的には、内側ルーメン３１は、中心軸Ｏから半径がＲ１未満の領域に形成される。外側ルーメン３２は、本体部１０において、径方向の外側に位置する。具体的には、外側ルーメン３２は、中心軸Ｏから半径がＲ１以上Ｒ２未満の領域に形成される。外側ルーメン３２は、例えば軸方向に平行に形成されていてよい。従って、例えば図３に示されるように、医療器具１の正面視において、中心軸Ｏを含む中心部に内側ルーメン３１が形成され、内側ルーメン３１よりも径方向の外側に、複数の外側ルーメン３２が形成される。つまり、本体部１０は、外側ルーメン３２を複数区画している。なお、本実施形態では、外側ルーメン３２が４つであるとして説明するが、外側ルーメン３２の個数は、これに限られない。本体部１０には、１以上の任意の個数の外側ルーメン３２が形成されていてよい。内側ルーメン３１及び外側ルーメン３２は、図３に示すように、断面が円形となるように形成されていてよい。
【００２４】
医療器具１の穿刺先端部２０は、内部に内側ルーメン３１を区画する。一方、穿刺先端部２０は、外側ルーメン３２を区画しない。すなわち、上述したように、内側ルーメン３１は、中心軸Ｏから半径がＲ１未満の領域に形成されるため、穿刺先端部２０においても、内側ルーメン３１が形成される。一方、外側ルーメン３２は、中心軸Ｏから半径がＲ１以上Ｒ２未満の領域に形成されるが、穿刺先端部２０の最大半径がＲ１であるため、穿刺先端部２０には、外側ルーメン３２が形成されない。
【００２５】
内側ルーメン３１は、穿刺先端部２０の遠位端８側に開口（以下、「第１先端開口」とも称する）３３を有し、第１先端開口３３で外部と連通する。第１先端開口３３は、穿刺先端部２０の先端面２２に形成されている。先端面２２は、例えば図２及び図４に示されるように、軸方向に対して傾斜する刃面により構成されていてもよい。これにより、穿刺先端部２０の遠位端８における、医療器具１が生体組織に穿刺される際の医療器具１と生体組織との穿刺抵抗を、低減することができる。
【００２６】
外側ルーメン３２は、本体部１０のテーパ面１２に開口（以下、「第２先端開口」とも称する）３４を有し、第２先端開口３４で外部と連通する。このように、外側ルーメン３２がテーパ面１２に第２先端開口３４を有することにより、後述するように内側ルーメン３１と外側ルーメン３２から異なる流体を供給する場合に、これらの異なる流体を、軸方向において異なる位置に供給することができる。
【００２７】
内側ルーメン３１及び外側ルーメン３２は、医療器具１の基端側で外部と連通する。内側ルーメン３１及び外側ルーメン３２には、基端側から生体組織に投与される被投与物としての流体を供給することができる。内側ルーメン３１及び外側ルーメン３２に供給される流体は、例えば、細胞、当該細胞を生体組織に接着させる機能を有する細胞外マトリックス、線維芽細胞成長因子（ｂＦＧＦ）製剤等の成長因子、造影剤、及び、生体適合性材料のうちの１以上を含む。
【００２８】
被投与物としての細胞は、例えば、接着細胞（付着性細胞）を含む。接着細胞は、例えば、接着性の体細胞（例えば、心筋細胞、線維芽細胞、上皮細胞、内皮細胞、肝細胞、膵細胞、腎細胞、副腎細胞、歯根膜細胞、歯肉細胞、骨膜細胞、皮膚細胞、滑膜細胞、軟骨細胞等）及び幹細胞（例えば、筋芽細胞、心臓幹細胞等の組織幹細胞、胚性幹細胞、ｉＰＳ（induced pluripotent stem）細胞等の多能性幹細胞、間葉系幹細胞等）等を含む。体細胞は、幹細胞、特にｉＰＳ細胞から分化させたものであってもよい。被投与物としての細胞の非限定例としては、例えば、筋芽細胞（例えば、骨格筋芽細胞等）、間葉系幹細胞（例えば、骨髄、脂肪組織、末梢血、皮膚、毛根、筋組織、子宮内膜、胎盤、臍帯血由来のもの等）、心筋細胞、線維芽細胞、心臓幹細胞、胚性幹細胞、ｉＰＳ細胞、滑膜細胞、軟骨細胞、上皮細胞（例えば、口腔粘膜上皮細胞、網膜色素上皮細胞、鼻粘膜上皮細胞等）、内皮細胞（例えば、血管内皮細胞等）、肝細胞（例えば、肝実質細胞等）、膵細胞（例えば、膵島細胞等）、腎細胞、副腎細胞、歯根膜細胞、歯肉細胞、骨膜細胞、皮膚細胞等が挙げられる。
【００２９】
被投与物としての細胞外マトリックスは、例えば、心筋、腎臓、膀胱、軟骨等、各組織、臓器中に存在する非細胞性の構成成分を含む。細胞外マトリックスは、例えば、心筋、軟骨等の臓器をホモジナイズすることで、抽出することができる。細胞外マトリックスの組成物は、主に繊維状タンパク質、構造タンパク質、グリコサミノグリカン等で構成され、以下のものを含む全ての型のコラーゲン：原繊維（Ｉ型、ＩＩ型、ＩＩＩ型、Ｖ型、ＸＩ型）；ｆａｃｉｔ（ＩＸ型、ＸＩＩ型、ＸＩＶ型）；短鎖（ＶＩＩＩ型、Ｘ型）、基底膜（ＩＶ型）、及び他のもの（ＶＩ型、ＶＩＩ型、ＸＩＩＩ型）、エラスチン、フィブロネクチン、フィブリノーゲン、フィビュリン、カドヘリン、ラミニン、アグリン、エンタクチン、テネイシン、リンクタンパク質、プロテオグリカン、アグリカン、パールカン、バーシカン、ニューロカン、ブレビカン、デコリン、ビグリカン、セルグリシン、シンデカン、グリピカン、ルミカン、ケラトカン、コンドロイチン硫酸プロテオグリカン、ヒアルロン酸、キチン等を含む。また、細胞外マトリックスの個々の組成物の比率は、その組織を構成する組成物の比率に依存する。
【００３０】
被投与物としての生体適合性材料は、例えば、ポリアクリルアミドゲル、ポリビニルピロリドンゲル、ゼラチンゲル、β―グルカンゲル、アガロースゲル、カルボキシメチルセルロースゲル、エチレンビニルアルコール、ジルコニウム、ハイドロキシアパタイト、ポリジメチルシロキサン、デキストラノマー、シリコーン、グリコールやそれらの混合物、及び、それらを用いた粒子、多孔性粒子、ファイバー、多孔性ファイバー、シート、多孔性シートやそれらの組合せにより選択される群を含む。
【００３１】
本実施形態では、一例として、内側ルーメン３１から細胞を供給し、外側ルーメン３２から細胞外マトリックスを供給する場合について、以下説明する。
【００３２】
内側ルーメン３１の断面積は、例えば図３に示されるように、外側ルーメン３２の断面積よりも大きくてよい。ここで、断面積は、軸方向に直交する任意の一断面での内側ルーメンの断面積及び外側ルーメンの断面積をいう。このように構成することにより、例えば細胞等の粘性の高い流体を、断面積がより大きい内側ルーメン３１を通して供給し、例えば細胞外マトリックス等の粘性の低い流体を、断面積がより小さい外側ルーメン３２を通して供給する場合に、両ルーメンを流れる流体の速度（つまり流速）の差を小さくするとともに、流体の管摩擦抵抗である注入抵抗の差を小さくすることができる。
【００３３】
医療器具１の本体部１０及び穿刺先端部２０の形成材料は、ある程度の可撓性を有するものが好ましく、例えば金属や樹脂を用いることができる。金属としては、例えば、Ｎｉ−Ｔｉ系合金のような擬弾性合金（超弾性合金を含む）、ステンレス鋼（例えば、ＳＵＳ３０４、ＳＵＳ３０３、ＳＵＳ３１６、ＳＵＳ３１６Ｌ、ＳＵＳ３１６Ｊ１、ＳＵＳ３１６Ｊ１Ｌ、ＳＵＳ４０５、ＳＵＳ４３０、ＳＵＳ４３４、ＳＵＳ４４４、ＳＵＳ４２９、ＳＵＳ４３０Ｆ、ＳＵＳ３０２等、ＳＵＳの全品種）、コバルト系合金、金、白金のような貴金属、タングステン系合金、炭素系材料（ピアノ線を含む）等が挙げられる。樹脂としては、例えば、ポリオレフィン（例えば、ポリエチレン、ポリプロピレン、ポリブテン、エチレン−プロピレン共重合体、エチレン−酢酸ビニル共重合体、アイオノマー、あるいはこれら二種以上の混合物等）、ポリ塩化ビニル、ポリアミド、ポリアミドエラストマー、ポリエステル、ポリエステルエラストマー、ポリウレタン、ポリウレタンエラストマー、ポリイミド、フッ素樹脂等の高分子材料あるいはこれらの混合物、あるいは上記２種以上の高分子材料が挙げられる。さらに、樹脂として、ポリエーテルエーテルケトンに代表されるエンジニアリングプラスチックが挙げられる。また、本体部１０及び穿刺先端部２０は、これらの金属や樹脂から形成された複合物からなる多層チューブ等により構成することもできる。
【００３４】
図５は、医療器具１を用いて実行される投与方法の一例を示すフローチャートである。図５に示すように、医療器具１を用いて実行される投与方法は、穿刺工程Ｓ１と、第１投与工程Ｓ２と、第２投与工程Ｓ３と、を含む。
【００３５】
穿刺工程Ｓ１では、遠位端８で外部に連通する中空部としての内側ルーメン３１を区画する穿刺先端部２０を、遠位端８から生体組織に穿刺する。具体的には、例えば、図１に示したように、カテーテル１００を通じて左心室ＬＶまでデリバリーされた医療器具１の穿刺先端部２０の遠位端８を、カテーテル１００から突出させて、生体組織としての左心室ＬＶの内壁に穿刺させる。医療器具１の操作は、医療従事者等の操作者が、被検者の体外に位置する医療器具１の基端側（近位端側）の一部を操作することで行うことができる。
【００３６】
第１投与工程Ｓ２では、医療器具１の中空部としての内側ルーメン３１を通じて、細胞を生体組織に投与する。具体的には、例えば、医療器具１の基端側から内側ルーメン３１を通じて細胞を供給する。すると、細胞は、内側ルーメン３１を経て、生体組織に投与される。
【００３７】
第２投与工程Ｓ３では、第１投与工程Ｓ２の後、医療器具１の中空部としての外側ルーメン３２を通じて、細胞外マトリックスを生体組織に投与する。具体的には、例えば、医療器具１の基端側から、外側ルーメン３２を通じて細胞外マトリックスを供給する。すると、細胞外マトリックスは、外側ルーメン３２を経て、生体組織に投与される。
【００３８】
このように、第１投与工程Ｓ２で生体組織に細胞を投与した後、第２投与工程Ｓ３で細胞外マトリックスを生体組織に投与することで、カテーテル投与の際には、組成物を流動状態とすることができ、その後、投与対象の生体内の環境により組成物の粘度が上昇することで、投与された細胞や生物活性物質の漏出防止を図ることができる。そのため、医療器具１を生体外に抜去後に、先に投与された細胞が心拍等によって漏出することを抑制できる。
【００３９】
図６は、医療器具１を用いて投与された細胞及び細胞外マトリックスの投与状態の一例を示す模式図である。図６は、上側から下側に向かって遠位端８が穿刺された場合における、細胞及び細胞外マトリックスの生体組織における配置を模式的に示す図である。生体組織に遠位端８が穿刺された状態で、内側ルーメン３１から細胞が供給され、外側ルーメン３２から細胞外マトリックスが供給された場合、図６に示すように、内壁近辺に細胞外マトリックスが投与され、それよりも生体組織の奥側に細胞が投与される。これは、生体組織に遠位端８が穿刺された状態において、外側ルーメン３２の第２先端開口３４が内壁近辺に配置され、内側ルーメン３１の第１先端開口３３が生体組織の奥側に配置されるためである。このように細胞及び細胞外マトリックスが投与されることにより、細胞を生体組織に生着させやすくなる。
【００４０】
このように、本実施形態に係る医療器具１は、径方向の内側に位置する内側ルーメン３１、及び、径方向の外側に位置する外側ルーメン３２、を内部に区画する筒部３０を備える。筒部３０は、側面にテーパ面１２を備え、内側ルーメン３１の第１先端開口３３は、筒部３０の先端面２２に形成され、外側ルーメン３２の第２先端開口３４は、テーパ面１２に形成されている。この構成により、医療器具１によれば、医療器具１と生体組織との穿刺抵抗を低減することができる。すなわち、医療器具１によれば、軸方向に延在する複数のルーメンを区画しつつ、遠位端８近傍の外径を小さくして穿刺抵抗を低減できる。
【００４１】
なお、医療器具１を用いて実行される投与方法は、上述した方法に限られない。例えば、細胞を投与する第１投与工程の前に、細胞外マトリックスを投与する第２投与工程を行ってもよい。この場合、細胞が生体組織に生着し易い環境を予め整えることができる。
【００４２】
上記実施形態では、穿刺先端部２０の側面２１が一定の径を有する筒状である場合について説明した。しかしながら、図７に示すように、穿刺先端部２０の側面２１は、遠位端８側に向かうにつれて外径が漸減するテーパ面（第２テーパ面）を備えるように構成されていてもよい。これにより、医療器具１が生体組織に穿刺される際の医療器具１と生体組織との穿刺抵抗を、さらに低減することができる。第２テーパ面は、第１テーパ面よりも、軸方向に対する傾斜角度が小さくてもよい。
【００４３】
上記実施形態では、外側ルーメン３２が軸方向に平行に形成されていると説明したが、外側ルーメン３２は、必ずしも軸方向に平行に形成されていなくてもよい。外側ルーメン３２は、軸方向に延在するように、中心軸Ｏから半径がＲ１以上Ｒ２未満の領域に形成されていればよい。従って、例えば、外側ルーメン３２は、中心軸Ｏから半径がＲ１以上Ｒ２未満の領域に、螺旋形状となるように形成されていてもよい。
【００４４】
上記実施形態では、内側ルーメン３１及び外側ルーメン３２の断面が円形であるとして説明したが、内側ルーメン３１及び外側ルーメン３２の断面は、必ずしも円形でなくてもよい。例えば、内側ルーメン３１及び外側ルーメン３２の断面は、楕円形、又は矩形を含む多角形等であってもよい。また、内側ルーメン３１及び外側ルーメン３２の断面は、周方向に沿う弧状となるように形成されていてもよい。また、外側ルーメン３２の断面は、断面視において、中心軸Ｏを中心とした環状に形成されていてもよい。この場合、内側ルーメン３１を区画する壁面と、外側ルーメン３２を区画する壁面とを繋ぐ連結部が設けられていてよい。連結部は、軸方向の任意の位置、及び周方向の任意の位置に設けられていてよい。
【００４５】
本発明は、上述した各実施形態で特定された構成に限定されるものではなく、特許請求の範囲に記載した内容を逸脱しない範囲内で種々の変形が可能である。
【産業上の利用可能性】
【００４６】
本開示は、医療器具に関する。
【符号の説明】
【００４７】
１  医療器具
８  遠位端
１０  本体部
１１  側面
１２  テーパ面
１３  テーパ基端位置
１４  結合位置
１５  中間位置
２０  穿刺先端部
２１  側面
２２  先端面
３０  筒部
３１  内側ルーメン
３２  外側ルーメン
３３  第１先端開口
３４  第２先端開口
１００  カテーテル
【図１】
2020049150.tif 000003
【図２】
2020049150.tif 000004
【図３】
2020049150.tif 000005
【図４】
2020049150.tif 000006
【図５】
2020049150.tif 000007
【図６】
2020049150.tif 000008
【図７】
2020049150.tif 000009